(57)【要約】【課題】利用者の利便性を損なうおそれを低減することが可能な印刷装置を提供すること。【解決手段】媒体に印刷する機能を有する印刷装置であって、付加装置が嵌め合わされることで、前記付加装置と前記印刷装置とを一体化することができる嵌合部と、前記付加装置と電気的に接続されることで、前記付加装置の機能を付加することができる接続部と、を有する印刷装置。【選択図】図１
2019147354.tif 000002
【特許請求の範囲】
【請求項１】
媒体に印刷する機能を有する印刷装置であって、
付加装置が嵌め合わされることで、前記付加装置と前記印刷装置とを一体化することができる嵌合部と、
前記付加装置と電気的に接続されることで、前記付加装置の機能を付加することができる接続部と、
を有することを特徴とする印刷装置。
【請求項２】
前記嵌合部と前記接続部とは個別に設けられている、
ことを特徴とする請求項１に記載の印刷装置。
【請求項３】
前記付加装置は画像スキャン、通信インターフェース、データ送受信インターフェース及び給電のいずれかの機能を有する、
ことを特徴とする請求項１又は２に記載の印刷装置。
【請求項４】
前記付加装置が前記嵌合部に沿ってスライドすることで、前記付加装置が前記嵌合部に嵌め合わされる、
ことを特徴とする請求項１乃至３のいずれか１項に記載の印刷装置。
【発明の詳細な説明】
【技術分野】
【０００１】
本発明は、印刷装置に関する。
【背景技術】
【０００２】
媒体に対して印刷を行う印刷装置には、当該印刷を行う機能以外に、スキャナー機能、ファクシミリ機能、コピー機能等の多くの機能を有するものが知られている。また、このような印刷装置に供給される画像データ等の各種信号は、ケーブルを介した有線通信により供給される方法の他、無線通信により供給される方法、さらには、当該各種信号を記憶した記憶媒体から直接供給される方法等が知られている。
【０００３】
例えば特許文献１には、ＬＡＮ（Local Area Network）等のネットワークにより構成された印刷システムであって、媒体に対して印刷を行う印刷機能の他に、原稿を光学的に読取ってその複製画像を印刷出力するコピー機能、原稿を光学的に読取って得た画像を保存等するスキャン機能、ファクシミリ機能等を備えた印刷装置（複合機）が開示されている。
【先行技術文献】
【特許文献】
【０００４】
【特許文献１】特開２０１３−１８０４８０号公報
【発明の概要】
【発明が解決しようとする課題】
【０００５】
しかしながら、複数の機能を有する印刷装置は、当該複数の機能の全てが、利用者が求める機能でない場合がある。例えば、画像を読取るスキャン機能においては、利用者が読取る画像の形態や用途に応じて、光学縮小（ＣＣＤ）方式が求められるのか、又は密着センサー（ＣＩＳ）方式が求められるのかが異なる。また、印刷を制御する画像データ等の各種信号の供給方式においても、有線通信で供給が求められるのか、無線通信で供給の供給が求められるのかが異なる。
【０００６】
以上のような利用者により異なる要求の全てに合致する印刷装置とした場合、印刷装置に搭載する機能及び構成が増加し、印刷装置が大型化することが懸念される。そのため、印刷装置を設置するための十分なスペースの確保が強いられ、利用者の利便性を損なうおそれがある。
【０００７】
さらには、印刷装置に複数の機能が一体に備えられるために、当該複数の機能の内のいずれかが故障した場合、印刷装置全体の修理や購入が必要となり、正常に動作している機能の使用に制限が生じ、利用者の利便性を損なうおそれもある。
【０００８】
以上のように複数の機能を有する印刷装置において、当該印刷装置が有する機能が、利用者の求める機能に合致しない場合、利用者の利便性を損なうおそれがあるといった問題が生じた。さらに、このような問題は、求める機能が利用者によって異なる個人や一般家庭向けである所謂コンシューマー向けの印刷装置において、より顕著に生じる。
【課題を解決するための手段】
【０００９】
本発明に係る印刷装置の一態様は、媒体に印刷する機能を有する印刷装置であって、付加装置が嵌め合わされることで、前記付加装置と前記印刷装置とを一体化することができる嵌合部と、前記付加装置と電気的に接続されることで、前記付加装置の機能を付加する
ことができる接続部と、を有する。
【００１０】
前記印刷装置の一態様において、前記嵌合部と前記接続部とは個別に設けられていてもよい。
【００１１】
前記印刷装置の一態様において、前記付加装置は画像スキャン、通信インターフェース、データ送受信インターフェース及び給電のいずれかの機能を有してもよい。
【００１２】
前記印刷装置の一態様において、前記付加装置が前記嵌合部に沿ってスライドすることで、前記付加装置が前記嵌合部に嵌め合わされてもよい。
【図面の簡単な説明】
【００１３】
【図１】複合装置の構成を示す分解斜視図である。
【図２】印刷装置の構成を示す斜視図である。
【図３】装着部の構成の一例を示す平面図である。
【図４】装着部の構成の他の一例を示す斜視図である。
【図５】付加装置の一例を示す斜視図である。
【図６】付加装置の他の一例を示す斜視図である。
【図７】複合装置の電気的構成を示すブロック図である。
【発明を実施するための形態】
【００１４】
以下、本発明の好適な実施形態について図面を用いて説明する。用いる図面は説明の便宜上のものである。なお、以下に説明する実施形態は、特許請求の範囲に記載された本発明の内容を不当に限定するものではない。また以下で説明される構成の全てが本発明の必須構成要件であるとは限らない。
【００１５】
１  複合装置の構成
本実施形態における印刷装置を含む複合装置の一例を、図面を参照して説明する。図１は、本実施形態における複合装置１の構成を示す図である。
【００１６】
複合装置１は、印刷装置２、付加装置３及び複数の付加装置４を含む。
【００１７】
印刷装置２は、ホストコンピューター等から入力される画像データ等に基づいて、媒体に対してインクを吐出する。これにより、印刷装置２は、媒体に当該画像データに基づく画像や文章等を印刷する。すなわち、印刷装置２は、媒体に対して印刷する機能を有する。
【００１８】
付加装置３は、印刷装置２の上部に着脱可能に設けられる。そして、付加装置３が印刷装置２に電気的に接続されることにより、複合装置１に新たな機能が追加される。
【００１９】
また、付加装置４は、印刷装置２に設けられた挿通孔に着脱可能に設けられる。そして、付加装置４が当該挿通孔に挿通されることにより、付加装置４と印刷装置２とが電気的に接続され、複合装置１に新たな機能が追加される。なお、本実施形態において付加装置４は、印刷装置２に最大３つまで着脱可能に設けられるとして説明を行う。以下の説明では、３つの付加装置４のそれぞれを付加装置４ａ，４ｂ，４ｃと称する場合がある。
【００２０】
ここで、付加装置３及び付加装置４が有する機能を以下に例示する。
【００２１】
例えば、付加装置３は、画像を読取る画像スキャン機能を有してもよい。
【００２２】
画像スキャン機能を有する画像スキャナーには、読取方式の違いから光学縮小方式（以下ＣＣＤ（Charge Coupled Devices）方式と称する。）と密着センサー方式（以下ＣＩＳ（Contact Image Sensor）と称する。）とがある。
【００２３】
ＣＣＤ方式は、白色光源から出力された光を画像が付された原稿に照射し、当該原稿からの反射光を複数のミラーとレンズにより反射と収束しセンサーで読取る。このため、光路長が長く被写界深度を深くすることが可能となる。したがって、原稿が画像を読取る読取面に密着していない場合や画像に凹凸がある場合であっても、当該原稿を高精度に読取ることが可能となる。
【００２４】
一方、ＣＩＳ方式は、センサー及びレンズと一体化された赤、青、緑の３色の光源を順次切り替えながら原稿に照射し、原稿からの反射光をセンサーで読取る。そのため、付加装置３のサイズを小さく、また安価にすることが可能となる。
【００２５】
このように、付加装置３が、画像スキャン機能を備えることにより、複合装置１に画像スキャナーの機能を付加するか否か、さらには、読取る画像の種類に応じて当該画像スキャナーをＣＣＤ方式とするか、ＣＩＳ方式とするかを、利用者が選択することが可能となる。したがって、複合装置１の汎用性を高めることが可能となり、利用者の利便性を向上することができる。
【００２６】
なお、付加装置３は、上述の画像スキャナーに加えて原稿を搬送する自動原稿送り（ＡＤＦ：Automatic Document Feed）の機能を備えてもよい。
【００２７】
また、例えば、付加装置４は、複合装置１に画像データ等の各種データ信号を供給する外部装置と通信を行うための通信インターフェース機能を有してもよい。
【００２８】
印刷装置２に供給される各種データ信号は、Ｗｉ−ＦｉやＢｌｕｅｔｏｏｔｈ（登録商標）等を用いた無線通信、ＬＡＮケーブル、ＵＳＢケーブル等を用いた有線通信等によって供給される。
【００２９】
しかしながら、このような無線通信及び有線通信には、それぞれに個別の通信規格が定められている場合がある。そのため、複合装置１は、当該通信規格に準拠するための構成を備える必要がある。すなわち、複合装置１がこれらの通信規格の複数に準拠しようとした場合、複合装置１は、当該通信規格を準拠するための構成を複数備える必要がある。そのため、複合装置１の構成が複雑となり、複合装置１の大型化が懸念される。
【００３０】
一方で、利用者は、当該通信規格の内のいずれか１つに準拠した方法を用いて、外部装置と複合装置１との接続を行う。換言すれば、複合装置１が多くの通信規格に準拠している場合であっても、利用者が使用する通信規格は限定される。
【００３１】
よって、付加装置４が、外部装置と複合装置１との通信を行うためのインターフェース機能を有することで、利用者は必要な通信規格のみを複合装置１に付加することが可能となる。したがって、複合装置１が大型化になることを低減するとともに、利用者の利便性を高めることができる。
【００３２】
また、例えば、付加装置４は、外部記憶媒体との送受信を行うデータ送受信インターフェース機能を有してもよい。
【００３３】
複合装置１に供給される画像データは、上述した無線通信及び有線通信の他に、画像データを記憶した記憶媒体から供給される場合がある。具体的には、画像データが記憶され
た記憶媒体を複合装置１に直接接続し、複合装置１が、当該記憶媒体に記憶される画像データを読出すことにより、複合装置１に画像データが供給される。
【００３４】
このような画像データを記憶し、複合装置１に供給する記憶媒体の一例としては、例えば、フロッピーディスクやハードディスク等の磁気ディスク、ＣＤやＤＶＤ等の光ディスク、ソリッドステートドライブ（ＳＳＤ）、ＵＳＢメモリー、メモリーカード等のフラッシュメモリー等が挙げられる。
【００３５】
しかしながら、上述の記憶媒体は、形状、読出し方法等のインターフェース仕様が異なる。そのため、複合装置１に、複数の記憶媒体とのデータの送受信に対応したインターフェース仕様を備えようとした場合、複合装置１の構成が複雑となり、さらには複合装置１の大型化も懸念される。
【００３６】
よって、付加装置４が、上述した記憶媒体の内の１又は複数に対応したインターフェース機能を有することで、利用者は使用する記憶媒体に対応したインターフェース機能のみを複合装置１に付加することが可能となる。したがって、複合装置１が大型化になることを低減しつつ、利用者の利便性を向上することができる。
【００３７】
また、例えば、付加装置４は、複合装置１への電力供給手段を変更することが可能な給電機能を備えてもよい。
【００３８】
しかしながら、複合装置１に電力を供給するための電圧値は、使用する国や地域により異なる場合がある。さらに、近年においてはコネクターや電源コードを介さずに給電する非接触給電の技術も知られている。
【００３９】
複合装置１が、上述した種々の電圧値や周波数、及び給電方法に対応しようとした場合、対応した変圧器や受電装置を備える必要があり、複合装置１の構成が複雑となり大型化が懸念される。
【００４０】
よって、付加装置４が、電圧値や周波数を変換するコンバータ回路や、電圧値に対応したプラグ形状、さらには、非接触給電に対応する受電機能等を備えることで、利用者は使用する給電環境に対応した給電機能のみを複合装置１に付加することが可能となる。したがって、複合装置１が大型化になることを低減しつつ、利用者の利便性を向上することができる。
【００４１】
以上のように、付加装置３及び付加装置４のそれぞれが、画像スキャン機能、データ送受信インターフェース機能、通信インターフェース機能及び給電機能等の種々の機能の一部を有することで、複合装置１に当該機能を付加することが可能となる。なお、上述した機能はあくまで一例であり、これに限られるものではない。
【００４２】
２  印刷装置の構成
次に図２から図４を用いて印刷装置２の構成について説明する。図２は、印刷装置２の構成を示す図である。なお、以下の説明においては、印刷装置２は、対向する正面２１０と背面２２０、対向する底面２３０と上面２４０、対向する側面２５０と側面２６０と、を有する略直方体形状であるとして説明を行う。また、側面２５０から側面２６０に向かう方向を方向Ｘとし、背面２２０から正面２１０に向かう方向を方向Ｙとし、底面２３０から上面２４０に向かう方向を方向Ｚとして説明を行う。なお、印刷装置２は、略直方体形状に限られるものではない。また、以下の説明においては、方向Ｘ，Ｙ，Ｚが互いに直交するものとして説明を行うが、直交に限られるものではない。
【００４３】
印刷装置２の正面２１０には、操作パネル１１が設けられている。操作パネル１１は、操作部１３及び表示部１６を有する。
【００４４】
操作部１３は、電源スイッチ１４及び複数の操作スイッチ１５を有する。
【００４５】
電源スイッチ１４は、印刷装置２に供給される電源のオン又はオフを指示する場合に操作される。
【００４６】
操作スイッチ１５は、印刷装置２に対して印刷の実行や中止を指示する場合に操作されるとともに、印刷装置２に付加装置３，４が接続された場合、当該付加装置３，４が有する機能を付加するための設定及び動作を指示する場合にも用いられる。
【００４７】
表示部１６には、印刷装置２を操作するためのメニューや設定等の項目が表示されるとともに、印刷装置２に付加装置３，４が接続された場合、付加装置３，４が有する機能に応じたメニューや設定等の項目も表示される。なお、表示部１６は、例えば液晶パネル、有機ＥＬパネル等により構成される。また、操作パネル１１は、利用者が視認し易い角度に回動可能であってもよい。
【００４８】
印刷装置２の正面２１０であって操作パネル１１の底面２３０側には、用紙等の媒体を複数枚収容可能な給送カセット１８が着脱可能に設けられている。給送カセット１８に収容された媒体は、不図示のピックアップローラーにより一枚ずつ送り出される。そして、媒体は、搬送用の搬送ローラー及び搬送ベルトのうち少なくとも一方を備える不図示の搬送機構によって、方向Ｙに沿って搬送される。
【００４９】
印刷装置２の内部には、印刷ヘッド２０が方向Ｘに沿って架設されている。
【００５０】
印刷ヘッド２０は、方向Ｙに沿って所定の搬送速度で搬送される媒体に対してインクを吐出する。これにより、印刷装置２は媒体に画像や文書等の印刷を行う。そして、印刷が終了した媒体は、搬送機構により搬送され、正面２１０に開閉可能に設けられたカバー１７が開状態の場合に露出する不図示の排出口から排出される。
【００５１】
また、印刷装置２の内部には、制御ユニット１０が設けられている。制御ユニット１０は、媒体の搬送制御やインクの吐出制御等の印刷装置２に係る各種制御を行う。
【００５２】
また、印刷装置２は、付加装置３が着脱可能に設けられる装着部３０と、付加装置４が着脱可能に設けられる３つの装着部４０ａ，４０ｂ，４０ｃと、を備える。
【００５３】
図３は、方向Ｙから見た場合における装着部３０の構成を示す平面図である。装着部３０は、方向Ｙから見た場合に、印刷装置２の上面２４０側に内壁３２，３３，３４，３５で形成された凹形状の空間である。
【００５４】
装着部３０を形成する内壁３２は、印刷装置２の上面２４０側において、側面２５０に沿って形成されている。また、内壁３３は、内壁３２に対向し側面２６０に沿って形成されている。また、内壁３４は、内壁３２，３３の双方と交差するように背面２２０に沿って形成されている。また、内壁３５は、内壁３２，３３，３４の全てと交差するように上面２４０に沿って形成されている。
【００５５】
さらに、装着部３０は、凹部３７，３８及び接続部３９を有する。
【００５６】
凹部３７は、内壁３２において方向Ｙに沿って延在するように形成されている。また、
凹部３８は、内壁３３において方向Ｙに沿って延在するように形成されている。この凹部３７と凹部３８とは互いに対向するように設けられている。
【００５７】
接続部３９は、内壁３４に設けられている。
【００５８】
図２の説明に戻り、３つの装着部４０ａ，４０ｂ，４０ｃは形成されている位置が異なるだけで全て同じ構造である。具体的には、装着部４０ａ，４０ｂ，４０ｃはいずれも正面２１０に開口を有する挿通孔である。そして、当該開口が、印刷装置２の側面２５０側に、方向Ｚに沿って底面２３０側から装着部４０ｃ、装着部４０ｂ、装着部４０ａの順に形成されている。なお、以下の説明では、３つの装着部４０ａ，４０ｂ，４０ｃを、区別する必要がない場合においては、装着部４０として説明を行う。
【００５９】
図４は、装着部４０の構成を説明するための斜視図である。なお、図４では、装着部４０の正面２１０に接する開口部分を太線で示している。
【００６０】
装着部４０は、内壁４２，４３，４４，４５，４６とで形成される。
【００６１】
方向Ｙから視た場合において、内壁４２，４３，４４，４５，４６は、正面２１０に略矩形状の開口部４１を形成している。
【００６２】
内壁４２は、側面２５０に沿って形成されている。また、内壁４３は、内壁４２に対向して形成されている。また、内壁４５は、底面２３０に沿って形成されている。また、内壁４４は、内壁４５に対向して形成されている。また、内壁４６は、内壁４２，４３，４４，４５のいずれとも交差し、開口部４１と対向して形成されている。
【００６３】
さらに、装着部４０は、凹部４７，４８及び接続部４９を有する。
【００６４】
凹部４７は、内壁４２において方向Ｙに沿って延在するように形成されている。また、凹部４８は、内壁４３において方向Ｙに沿って延在するように形成されている。この凹部４７と凹部４８とは互いに対向するように設けられている。
【００６５】
接続部４９は、内壁４６に設けられる。
【００６６】
以上のように本実施形態における印刷装置２は、複数の同形状の装着部４０を備える。これにより、印刷装置２に接続される付加装置４の選択の自由度が向上し、利用者に対してより利便性の高い複合装置１を提供することが可能となる。また、印刷装置２において、形状の異なる２種類の装着部３０と装着部４０とを備えることで、付加装置３，４が、誤った装着部に設けられることを防止することも可能となる。
【００６７】
なお、装着部３０，４０の形状、形成箇所及び数は、上述の実施形態に限られるものではない。また、印刷装置２は、付加装置３，４とは異なる付加装置を着脱可能な装着部を備えていてもよい。
【００６８】
また、接続部３９は、後述する付加装置３との間で信号を送受信できる場所に設けられていれば良い。すなわち、接続部３９は、内壁３４に設けられることに限定されず、内壁３２，３３，３５のいずれかに設けられていても良い。
【００６９】
同様に、接続部４９は、後述する付加装置４との間で信号を送受信できる場所に設けられていれば良い。すなわち、接続部４９は、内壁４６に設けられることに限定されず、内壁４２，４３，４４，４５のいずれかに設けられていても良い。
【００７０】
３  付加装置の構成
次に、印刷装置２に接続される付加装置３，４の構成の一例について説明する。
【００７１】
図５は、装着部３０に接続される付加装置３の一例を示す斜視図である。図５では、付加装置３の一例としてスキャナーモジュールが図示されている。
【００７２】
付加装置３は、底面５１と、底面５１に対向する原稿載置板６０と、前面５３と、前面５３に対向する後面５４と、互いに対向する側面５５，５６と、で形成された略直方体形状である。
【００７３】
また、原稿載置板６０の上側には、天板５２が開閉自在に設けられている。
【００７４】
原稿載置板６０には、天板５２を開いた状態で非読取面を下にして原稿が載置される。そして、天板５２を閉じた状態で当該原稿の読取りが実行された場合に、付加装置３の内部に設けられた不図示の読取りセンサーが当該原稿の読取りを行う。
【００７５】
側面５５には、前面５３から後面５４に向かう方向に沿って延在する凸部５７が形成されている。また、側面５６には、前面５３から後面５４に向かう方向に沿って延在する凸部５８が形成されている。
【００７６】
後面５４には、接続部５９が設けられている。
【００７７】
以上のように構成された付加装置３が、装着部３０に接続される。
【００７８】
具体的には、凸部５７を図３に示した印刷装置２の凹部３７に沿って、また凸部５８を図３に示した印刷装置２の凹部３８に沿ってスライドさせることで、付加装置３が凹部３７，３８と嵌め合わされる。これにより、付加装置３は、印刷装置２と一体化される。
【００７９】
このとき、図３に示した印刷装置２の接続部３９と付加装置３の接続部５９とが電気的に接続される。よって、付加装置３と印刷装置２との間で信号の送受信が可能となる。このように、付加装置３と印刷装置２との間で信号の送受信が可能となることで、複合装置１に付加装置３の機能を付加することができる。
【００８０】
図６は、装着部４０に接続される付加装置４の一例を示す斜視図である。
【００８１】
装着部４０に接続される付加装置４は、底面７１と、底面７１に対向する上面７２と、前面７３と、前面７３に対向する後面７４と、互いに対向する側面７５，７６と、で形成された略直方体形状である。
【００８２】
側面７５には、前面７３から後面７４に向かう方向に沿って延在する凸部７７が形成されている。また、側面７６には、前面７３から後面７４に向かう方向に沿って延在する凸部７８が形成されている。
【００８３】
また、後面７４には、接続部７９が設けられる。
【００８４】
以上のような付加装置４が、装着部４０に接続される。
【００８５】
具体的には、凸部７７を図４に示した印刷装置２の凹部４７に沿って、また凸部７８を図４に示した印刷装置２の凹部４８に沿ってスライドさせることで、付加装置４が凹部４
７，４８と嵌め合わされる。これにより、付加装置４は、印刷装置２と一体化される。
【００８６】
このとき、図４に示した印刷装置２の接続部４９と付加装置４の接続部７９とが電気的に接続される。よって、付加装置４と印刷装置２との間で信号の送受信が可能となる。このように、付加装置４と印刷装置２との間で信号の送受信が可能となることで、複合装置１に付加装置４の機能を付加することができる。
【００８７】
本実施形態においては、前述のとおり印刷装置２に形成されている３つの装着部４０（装着部４０ａ，４０ｂ，４０ｃ）は、形成される位置が異なるだけで全て同じ構造である。そのため、３つの装着部４０ａ，４０ｂ，４０ｃのそれぞれに着脱可能に設けられる付加装置４ａ，４ｂ，４ｃはいずれも同様の形状を有する。
【００８８】
図３に示した凹部３７，３８及び図４に示した凹部４７，４８のそれぞれが、前述の「嵌合部」に相当する。
【００８９】
なお、印刷装置２が有する凹部３７，３８，４７，４８は、付加装置３，４が嵌め合わされることで、印刷装置２と付加装置３，４とを一体化することが可能な形状であればよく、図３及び図４に示される凹形状に限られるものではない。
【００９０】
さらに、本実施形態における印刷装置２では、印刷装置２と付加装置３とを一体的に嵌め合せるための嵌合部である凹部３７，３８と、印刷装置２と付加装置３とを電気的に接続する接続部３９とが個別に設けられている。さらに、印刷装置２と付加装置４とを一体的に嵌め合せるための嵌合部である凹部４７，４８と、印刷装置２と付加装置３とを電気的に接続する接続部４９とが個別に設けられている。このように、機械的な接続に用いられる嵌合部と、電気的な接続に用いられる接続部とを個別に設けることで、印刷装置２に付加装置３，４が取り付けられる場合における機械接続の強度を保ちつつ、電気接続の信頼性を向上することが可能となる。
【００９１】
４  複合装置の電気構成
次に、図７を用いて複合装置１の電気的構成について説明する。図７は、複合装置１の電気的構成を示すブロック図である。
【００９２】
前述のとおり、複合装置１は、印刷装置２と、付加装置３と、複数の付加装置４とで構成される。
【００９３】
印刷装置２は、制御ユニット１０、操作スイッチ１５、表示部１６、印刷ヘッド２０、電源切替回路２２、電源生成回路２４、接続部３９及び複数の接続部４９を有する。
【００９４】
接続部３９には、付加装置３が電気的に接続される。また、複数の接続部４９のそれぞれには、付加装置４が電気的に接続される。なお、以下の説明では、図２に示す装着部４０ａに設けられる接続部４９を接続部４９ａと称し、装着部４０ｂに設けられる接続部４９を接続部４９ｂと称し、装着部４０ｃに設けられる接続部４９を接続部４９ｃと称する。
【００９５】
電源切替回路２２は、印刷装置２に供給される電源電圧を、商用電源から供給するのか、給電機能を有する付加装置３又は付加装置４から供給するのかの切り替えを行う。
【００９６】
電源切替回路２２は、例えばリレー回路で構成されている。そして、印刷装置２に商用電源が供給されている場合、電源切替回路２２は、印刷装置２に商用電源が供給されるように、リレー回路を切り替える。一方、印刷装置２に商用電源が供給されていない場合、
電源切替回路２２は、印刷装置２の給電経路と、接続部３９の端子３９−１、接続部４９ａの端子４９ａ−１、接続部４９ｂの端子４９ｂ−１、及び接続部４９ｃの端子４９ｃ−１が電気的に接続されるように当該リレー回路を切り替える。
【００９７】
電源生成回路２４は、電源切替回路２２を介して供給される電源電圧を、複合装置１で使用される所望の電圧値の電圧信号である電圧ＶＤＤに変換する。そして、電源生成回路２４は、生成した電圧ＶＤＤを、制御ユニット１０、操作スイッチ１５、表示部１６及び印刷ヘッド２０のそれぞれに供給する。また、電源生成回路２４は、電圧ＶＤＤを、接続部３９の端子３９−２、接続部４９ａの端子４９ａ−２、接続部４９ｂの端子４９ｂ−２、及び接続部４９ｃの端子４９ｃ−２にも供給する。
【００９８】
なお、図７では、電源生成回路２４は、１種類の電圧信号である電圧ＶＤＤを生成しているが、複数種類の電圧値の電圧信号が生成されてもよい。
【００９９】
制御ユニット１０は、印刷装置２の各種制御を行う。具体的には、制御ユニット１０は、表示部１６に表示される項目を制御する表示制御、媒体の搬送を制御する搬送制御、印刷ヘッド２０から吐出されるインクの吐出タイミング及び吐出量を制御する吐出制御、及び操作スイッチ１５の操作に基づく各種制御等を行う。
【０１００】
さらに、制御ユニット１０は、印刷装置２に付加装置３，４ａ，４ｂ、４ｃが接続されている場合、付加装置３，４ａ，４ｂ、４ｃが有する機能を識別し、それぞれの制御を行うための制御信号を生成する。この付加装置３，４ａ，４ｂ、４ｃの制御を行うための各制御信号は、接続部３９の端子３９−３、接続部４９ａの端子４９ａ−３、接続部４９ｂの端子４９ｂ−３、及び接続部４９ｃの端子４９ｃ−３に供給される。
【０１０１】
図７に示す複合装置１には、付加装置３として、画像スキャン機能を有するスキャナーモジュール１１０が着脱される。
【０１０２】
スキャナーモジュール１１０は、スキャナー制御回路１１２、画像読取回路１１４及び接続部５９を有する。
【０１０３】
スキャナー制御回路１１２は、スキャナーモジュール１１０と制御ユニット１０との通信を制御する。また、スキャナー制御回路１１２は、制御ユニット１０から入力される制御信号に基づいて画像読取回路１１４における画像の読取りを制御する。
【０１０４】
画像読取回路１１４は、スキャナー制御回路１１２の制御に従い画像の読取りを実行する。
【０１０５】
スキャナーモジュール１１０は、印刷装置２と接続部３９及び接続部５９を介して電気的に接続される。具体的には、端子３９−１は、接続部５９の端子５９−１と電気的に接続され、端子３９−２は、接続部５９の端子５９−２と電気的に接続され、端子３９−３は、接続部５９の端子５９−３と電気的に接続される。
【０１０６】
スキャナーモジュール１１０には、端子３９−２及び端子５９−２を介して電圧ＶＤＤが供給される。そして、この電圧ＶＤＤを電源電圧としてスキャナー制御回路１１２が起動する。
【０１０７】
スキャナー制御回路１１２は、起動した後、付加装置３としてスキャナーモジュール１１０が接続されていることを示す信号を、端子５９−３及び端子３９−３を介して制御ユニット１０に出力する。
【０１０８】
制御ユニット１０は、当該信号に基づいてスキャナーモジュール１１０が印刷装置２に接続されていることを認識する。そして、制御ユニット１０は、表示部１６にスキャナーモジュール１１０が有する機能に応じたメニュー及び設定等の各種項目が表示されるように制御する。さらに、制御ユニット１０は、操作スイッチ１５が、表示部１６に表示される各種項目に対応する操作が可能となるように制御する。
【０１０９】
そして、操作スイッチ１５の操作に基づいて画像スキャン機能が実行された場合、制御ユニット１０は、当該操作に基づく信号を端子３９−３及び端子５９−３を介してスキャナー制御回路１１２に出力する。
【０１１０】
スキャナー制御回路１１２は、入力された信号に基づいて画像読取回路１１４を制御する。これにより、画像スキャン機能が実行される。
【０１１１】
画像読取回路１１４は、読取った画像データを含む信号を、スキャナー制御回路１１２に出力し、スキャナー制御回路１１２は当該信号を端子５９−３及び端子３９−３を介して制御ユニット１０に出力する。
【０１１２】
以上のように、印刷装置２が有する操作スイッチ１５により、スキャナーモジュール１１０が有する画像スキャン機能を実行することが可能となる。換言すれば、印刷装置２を含む複合装置１に、スキャナーモジュール１１０が有する画像スキャン機能が付加される。
【０１１３】
なお、接続部５９の端子５９−１は、スキャナーモジュール１１０において、電気的に接続されていない。また、端子３９−１，３９−２，３９−３及び端子５９−１，５９−２，５９−３は、それぞれが複数の端子で構成されていてもよい。具体的には、各種制御信号が転送される端子３９−３，５９−３は、例えば、転送される信号が差動信号である場合、それぞれが２つの端子で構成されていてもよく、また、転送される信号が複数ビットのパラレル信号である場合、当該ビット数に応じた数の端子で構成されていてもよい。
【０１１４】
また、図７に示す複合装置１には、付加装置４ａとして通信インターフェース機能を有する無線通信モジュール１２０が、付加装置４ｂとしてデータ送受信インターフェース機能を有するＵＳＢモジュール１３０が、付加装置４ｃとして給電機能を有する非接触給電モジュール１４０が着脱される。
【０１１５】
無線通信モジュール１２０は、無線通信制御回路１２２、無線通信インターフェース（Ｉ／Ｆ：Interface）回路１２４及び接続部７９ａを有する。なお、接続部７９ａが、図６に示す付加装置４の接続部７９に相当する。
【０１１６】
無線通信インターフェース回路１２４は、外部に設けられた外部機器と無線通信可能な不図示の送受信用モジュールを含む。
【０１１７】
無線通信制御回路１２２は、無線通信インターフェース回路１２４が受信した信号を変換し、制御ユニット１０に出力する。また、無線通信制御回路１２２は、制御ユニット１０から入力される信号を変換し、無線通信インターフェース回路１２４を介して外部機器に無線信号を送信する。
【０１１８】
無線通信モジュール１２０は、印刷装置２と接続部４９ａ及び接続部７９ａを介して電気的に接続される。具体的には、端子４９ａ−１は、接続部７９ａの端子７９ａ−１と電気的に接続され、端子４９ａ−２は、接続部７９ａの端子７９ａ−２と電気的に接続され
、端子４９ａ−３は、接続部７９ａの端子７９ａ−３と電気的に接続される。
【０１１９】
無線通信モジュール１２０には、端子４９ａ−２及び端子７９ａ−２を介して電圧ＶＤＤが供給される。そして、この電圧ＶＤＤを電源電圧として無線通信制御回路１２２が起動する。
【０１２０】
無線通信制御回路１２２は、起動した後、付加装置３として無線通信モジュール１２０が接続されていることを示す信号を、端子７９ａ−３及び端子４９ａ−３を介して制御ユニット１０に出力する。
【０１２１】
制御ユニット１０は、当該信号に基づいて無線通信モジュール１２０が印刷装置２に接続されていることを認識する。そして、制御ユニット１０は、表示部１６に無線通信モジュール１２０が有する機能に応じたメニュー及び設定等の各種項目が表示されるように制御する。さらに、制御ユニット１０は、操作スイッチ１５が、表示部１６に表示される各種項目に対応する操作が可能となるように制御する。これにより印刷装置２と、無線通信モジュール１２０とが接続される。
【０１２２】
そして、外部機器から複合装置１に無線信号によって供給された画像データを含む各種制御信号は、無線通信インターフェース回路１２４で受信され、無線通信制御回路１２２により変換された後、制御ユニット１０に供給される。
【０１２３】
制御ユニット１０は、供給された各種制御信号に基づいて、印刷ヘッド２０を制御し、印刷を行う。
【０１２４】
以上のように、印刷装置２は、無線通信モジュール１２０を介して外部機器との無線通信が可能となる。換言すれば、印刷装置２を含む複合装置１に、無線通信モジュール１２０が有する外部機器との通信インターフェース機能が付加される。
【０１２５】
なお、接続部７９ａの端子７９ａ−１は、無線通信モジュール１２０において、電気的に接続されていない。また、端子４９ａ−１，４９ａ−２，４９ａ−３及び端子７９ａ−１，７９ａ−２，７９ａ−３は、それぞれが複数の端子で構成されていてもよい。具体的には、各種制御信号が転送される端子４９ａ−３，７９ａ−３は、例えば、転送される信号が差動信号である場合、それぞれが２つの端子で構成されていてもよく、また、転送される信号が複数ビットのパラレル信号である場合、当該ビット数に応じた数の端子で構成されていてもよい。
【０１２６】
ＵＳＢモジュール１３０は、ＵＳＢ制御回路１３２、ＵＳＢインターフェース（Ｉ／Ｆ：Interface）回路１３４及び接続部７９ｂを有する。なお、接続部７９ｂが、図６に示す付加装置４の接続部７９に相当する。
【０１２７】
ＵＳＢインターフェース回路１３４は、外部に設けられた外部機器とＵＳＢ端子により接続可能な複数のＵＳＢポートを含む。
【０１２８】
ＵＳＢ制御回路１３２は、ＵＳＢインターフェース回路１３４を介して外部機器から供給される信号を変換し、制御ユニット１０に出力する。また、ＵＳＢ制御回路１３２は、制御ユニット１０から入力される信号を変換し、ＵＳＢインターフェース回路１３４を介して外部機器に出力する。
【０１２９】
ＵＳＢモジュール１３０は、印刷装置２と接続部４９ｂ及び接続部７９ｂを介して電気的に接続される。具体的には、端子４９ｂ−１は、接続部７９ｂの端子７９ｂ−１と電気
的に接続され、端子４９ｂ−２は、接続部７９ｂの端子７９ｂ−２と電気的に接続され、端子４９ｂ−３は、接続部７９ｂの端子７９ｂ−３と電気的に接続される。
【０１３０】
ＵＳＢモジュール１３０には、端子４９ｂ−２及び端子７９ｂ−２を介して電圧ＶＤＤが供給される。そして、この電圧ＶＤＤを電源電圧としてＵＳＢ制御回路１３２が起動する。
【０１３１】
ＵＳＢ制御回路１３２は、起動した後、付加装置３としてＵＳＢモジュール１３０が接続されていることを示す信号を、端子７９ｂ−３及び端子４９ｂ−３を介して制御ユニット１０に出力する。
【０１３２】
制御ユニット１０は、当該信号に基づいてＵＳＢモジュール１３０が印刷装置２に接続されていることを認識する。そして、制御ユニット１０は、表示部１６にＵＳＢモジュール１３０が有する機能に応じたメニュー及び設定等の各種項目が表示されるように制御する。さらに、制御ユニット１０は、操作スイッチ１５が、表示部１６に表示される各種項目に対応する操作が可能となるように制御する。
【０１３３】
これにより操作スイッチ１５の操作より外部機器に記憶されている画像データ等を、ＵＳＢモジュール１３０を介して読出すことが可能となり、また、外部機器に、画像データ等を保存することが可能となる。
【０１３４】
以上のように、印刷装置２が有する操作スイッチ１５により、ＵＳＢモジュール１３０を介して接続される外部機器とのデータの送受信が可能となる。換言すれば、印刷装置２を含む複合装置１に、ＵＳＢモジュール１３０が有する外部機器とのデータ送受信インターフェース機能が付加される。
【０１３５】
なお、接続部７９ｂの端子７９ｂ−１は、ＵＳＢモジュール１３０において、電気的に接続されていない。また、端子４９ｂ−１，４９ｂ−２，４９ｂ−３及び端子７９ｂ−１，７９ｂ−２，７９ｂ−３は、それぞれが複数の端子で構成されていてもよい。具体的には、各種制御信号が転送される端子４９ｂ−３，７９ｂ−３は、例えば、転送される信号が差動信号である場合、それぞれが２つの端子で構成されていてもよく、また、転送される信号が複数ビットのパラレル信号である場合、当該ビット数に応じた数の端子で構成されていてもよい。
【０１３６】
非接触給電モジュール１４０は、非接触受電部制御回路１４２、非接触受電回路１４４及び接続部７９ｃを有する。なお、接続部７９ｃが、図６に示す付加装置４の接続部７９に相当する。
【０１３７】
非接触受電回路１４４は、外部に設けられた非接触送電回路から供給される電圧を受電する。非接触受電回路１４４は例えば不図示のコイルを有し、非接触送電回路が有するコイルとの間に生じる電磁誘導により受電する。なお、非接触給電方式は、上述した電磁誘導方式の他、電波を受信して電力を受電する電波受信方式、また、共鳴回路を利用して電力を受電する共鳴方式であってもよい。
【０１３８】
非接触受電部制御回路１４２は、制御ユニット１０から入力される信号に基づいて非接触受電回路１４４が受電する電力により生じる電圧の制御及び受電の停止などを制御する。
【０１３９】
非接触給電モジュール１４０は、印刷装置２と接続部４９ｃ及び接続部７９ｃを介して電気的に接続される。具体的には、端子４９ｃ−１は、接続部７９ｃの端子７９ｃ−１と
電気的に接続され、端子４９ｃ−２は、接続部７９ｃの端子７９ｃ−２と電気的に接続され、端子４９ｃ−３は、接続部７９ｃの端子７９ｃ−３と電気的に接続される。
【０１４０】
非接触受電回路１４４に電力が供給された場合、当該電力に基づく電圧が、端子７９ｃ−１及び端子４９ｃ−１を介して電源切替回路２２に供給される。
【０１４１】
電源切替回路２２は、商用電源が供給されていない場合、非接触給電モジュール１４０から供給された電圧を選択し、電源生成回路２４に出力する。電源生成回路２４は、供給された電圧に基づいて電圧ＶＤＤを生成し出力する。そして、制御ユニット１０は、電圧ＶＤＤを電源電圧として起動する。
【０１４２】
また、電圧ＶＤＤは、端子４９ｃ−２及び端子７９ｃ−２を介して、非接触給電モジュール１４０にも供給される。そして、電圧ＶＤＤを電源電圧として非接触受電部制御回路１４２が起動する。
【０１４３】
非接触受電部制御回路１４２は、起動した後、付加装置３として非接触給電モジュール１４０が接続されていることを示す信号を、端子７９ｃ−３及び端子４９ｃ−３を介して制御ユニット１０に出力する。
【０１４４】
制御ユニット１０は、当該信号に基づいて非接触給電モジュール１４０が印刷装置２に接続されていることを認識する。そして、制御ユニット１０は、表示部１６に非接触給電モジュール１４０が有する機能に応じたメニュー及び設定等の各種項目が表示されるように制御する。さらに、制御ユニット１０は、操作スイッチ１５が、表示部１６に表示される各種項目に対応する操作が可能となるように制御する。
【０１４５】
これにより操作スイッチ１５の操作より非接触給電モジュール１４０の制御が可能となる。換言すれば、印刷装置２を含む複合装置１に、非接触給電モジュール１４０が有する給電機能が付加される。
【０１４６】
なお、端子４９ｃ−１，４９ｃ−２，４９ｃ−３及び端子７９ｃ−１，７９ｃ−２，７９ｃ−３は、それぞれが複数の端子で構成されていてもよい。具体的には、各種制御信号が転送される端子４９ｃ−３，７９ｃ−３は、例えば、転送される信号が差動信号である場合、それぞれが２つの端子で構成されていてもよく、また、転送される信号が複数ビットのパラレル信号である場合、当該ビット数に応じた数の端子で構成されていてもよい。
【０１４７】
以上のように、印刷装置２に設けられた接続部３９が、スキャナーモジュール１１０に設けられた接続部５９と電気的に接続されることで、スキャナーモジュール１１０の機能が複合装置１に付加される。また、印刷装置２に設けられた接続部４９ａが、無線通信モジュール１２０に設けられた接続部７９ａと電気的に接続されることで、無線通信モジュール１２０の機能が複合装置１に付加される。また、印刷装置２に設けられた接続部４９ｂが、ＵＳＢモジュール１３０に設けられた接続部７９ｂと電気的に接続されることで、ＵＳＢモジュール１３０の機能が複合装置１に付加される。また、印刷装置２に設けられた接続部４９ｃが、非接触給電モジュール１４０に設けられた接続部７９ｂと電気的に接続されることで、非接触給電モジュール１４０の機能が複合装置１に付加される。
【０１４８】
５  作用効果
以上に説明したように、本実施形態における印刷装置２は、付加装置３，４と電気的に接続される接続部３９，４９を備える。そして、当該接続部３９，４９を介して、印刷装置２と付加装置３，４との間での信号の伝搬が可能となり、印刷装置２に付加装置３，４が有する機能を付加することが可能となる。したがって、印刷装置２の利用者に対する利
便性を高めることができる。
【０１４９】
さらに、本実施形態における印刷装置２は、付加装置３，４を嵌め合せることで印刷装置２と付加装置３，４とを一体化する凹部３７，３８，４７，４８を有する。これにより、印刷装置２に付加装置３，４が有する機能を付加する場合において、付加装置３，４を印刷装置２と一体的に取付けることが可能となる。したがって、印刷装置２と付加装置３，４とをケーブル等により接続する必要がなく、印刷装置２と付加装置３，４とを含む複合装置１が大型化になることを低減することができる。
【０１５０】
また、本実施形態における印刷装置２では、印刷装置２と付加装置３，４とを一体的に嵌め合せるための嵌合部である凹部３７，３８，４７，４８と、印刷装置２と付加装置３，４とを電気的に接続する接続部３９，４９とが個別に設けられている。このように、機械的な接続のための嵌合部と、電気的な接続のための接続部とを個別に設けることで、印刷装置２に付加装置３，４が取り付けられる場合における機械接続の強度を保ちつつ、電気接続の信頼性を向上することが可能となる。
【０１５１】
また、本実施形態における印刷装置２において、付加装置３，４は、凹部３７，３８，４７，４８にそってスライドすることで嵌め合わされる。これにより、印刷装置２と付加装置３，４との嵌合による機械接続の強度をさらに高めることが可能となり、機械接続の信頼性をさらに高めることが可能となる。
【０１５２】
また、本実施形態では印刷装置２に、画像スキャン、データ送受信インターフェース、通信インターフェース及び給電の機能を有する付加装置３，４を付加することができる。これらの機能における利用者の選択枝は多岐にわたる。本実施形態における印刷装置２によれば、利用者が当該機能を有する付加装置３，４を選択することができるので、利用者の利便性の高い複合装置１を実現することができる。
【０１５３】
以上、実施形態及び変形例について説明したが、本発明はこれらの実施形態に限られるものではなく、その要旨を逸脱しない範囲において種々の態様で実施することが可能である。例えば、上記の実施形態を適宜組み合わせることも可能である。
【０１５４】
本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【０１５５】
１…複合装置、２…印刷装置、３，４，４ａ，４ｂ，４ｃ…付加装置、１０…制御ユニット、１１…操作パネル、１３…操作部、１４…電源スイッチ、１５…操作スイッチ、１６…表示部、１７…カバー、１８…給送カセット、２０…印刷ヘッド、２２…電源切替回路、２４…電源生成回路、３０，４０，４０ａ，４０ｂ，４０ｃ…装着部、３２，３３，３４，３５，４２，４３，４４，４５，４６…内壁、３７，３８，４７，４８…凹部、３９，４９，４９ａ，４９ｂ，４９ｃ，５９，７９，７９ａ，７９ｂ，７９ｃ…接続部、３９−１，３９−２，３９−３，４９ａ−１，４９ａ−２，４９ａ−３，４９ｂ−１，４９ｂ−２，４９ｂ−３，４９ｃ−１，４９ｃ−２，４９ｃ−３，５９−１，５９−２，５９−３，７９ａ−１，７９ａ−２，７９ａ−３，７９ｂ−１，７９ｂ−２，７９ｂ−３，７９ｃ−１，７９ｃ−２，７９ｃ−３…端子、４１…開口部、５１，７１…底面、５２…天板、５３，７３…前面、５４，７４…後面、５５，５６，７５，７６…側面、５７，５８，
７７，７８…凸部、６０…原稿載置板、７２…上面、１１０…スキャナーモジュール、１１２…スキャナー制御回路、１１４…画像読取回路、１２０…無線通信モジュール、１２２…無線通信制御回路、１２４…無線通信インターフェース回路、１３０…ＵＳＢモジュール、１３２…ＵＳＢ制御回路、１３４…ＵＳＢインターフェース回路、１４０…非接触給電モジュール、１４２…非接触受電部制御回路、１４４…非接触受電回路、２１０…正面、２２０…背面、２３０…底面、２４０…上面、２５０，２６０…側面
【図１】
2019147354.tif 000003
【図２】
2019147354.tif 000004
【図３】
2019147354.tif 000005
【図４】
2019147354.tif 000006
【図５】
2019147354.tif 000007
【図６】
2019147354.tif 000008
【図７】
2019147354.tif 000009